(57)【要約】【課題】電源ユニットの取り付け及び交換の作業性が良好な機器収納ケースを提供する。【解決手段】機器収納ケース１は、略箱状の本体ケース２の背面に挿入口２ｂを形成し、挿入口２ｂに電源ユニット４を搭載する取付板５を挿抜自在に取り付ける。取付板５は挿入口２ｂを塞ぐ蓋板部５ａと、電源ユニット４を固定する固定板部５ｂとを有し、固定板部５ｂの蓋板部５ａから遠い側の端部に下方に突出する突部５ｆを設け、突部５ｆが嵌合して挿抜方向に案内する案内溝８ｂを形成した取付ベース８を挿入口２ｂの内側に設け、取付板５が案内溝８ｂに案内されて取付ベース８上を摺動する。【選択図】図６
2007306682.tif 000002
【特許請求の範囲】
【請求項１】
機器とともに該機器に電源を供給する電源ユニットを収納し、機器収納ラックに取り付けられるラックマウント型の機器収納ケースにおいて、略箱状の本体ケースの背面に挿入口を形成し、該挿入口に前記電源ユニットを搭載する取付板を挿抜自在に取り付けたことを特徴とする機器収納ケース。
【請求項２】
前記取付板は前記挿入口を塞ぐ蓋板部と、前記電源ユニットを固定する固定板部とを有し、該固定板部の蓋板部から遠い側の端部に下方に突出する突部を設け、該突部が嵌合して挿抜方向に案内する案内溝を形成した取付ベースを前記挿入口の内側に設け、前記取付板が前記案内溝に案内されて前記取付ベース上を摺動することを特徴とする請求項１に記載の機器収納ケース。
【請求項３】
前記取付板の突部は前記取付板を前記案内溝に沿って引き出した際に前記案内溝の端部に係脱可能に係合する係合部を有することを特徴とする請求項２に記載の機器収納ケース。
【発明の詳細な説明】
【技術分野】
【０００１】
本発明は、電源ユニットを収納した機器収納ケースに関する。
【背景技術】
【０００２】
メディアコンバータなどの通信機器を収納する機器収納ケースは、通信機器に電源を供給するために電源ユニットが収納される。機器収納ケースは本体ケースからトレイが引き出し可能に設けられ、トレイ後方に電源ユニットをネジで固定していた（例えば、特許文献１参照。）。
【０００３】
【特許文献１】特開２００３−７８２６３号公報
【発明の開示】
【発明が解決しようとする課題】
【０００４】
このように、従来の機器収納ケースはトレイが本体ケースから引き出せるようになっているが、トレイ全体が本体ケースから引き出せるわけではなく、トレイの半分程度しか本体ケースから引き出せず、更に機器収納ケースは複数段に積み重ねて機器収納ラックに設けられるので、電源ユニットを取り付けたり、交換する場合には上段の機器収納ケースが邪魔になり、作業性が悪いという欠点があった。
【課題を解決するための手段】
【０００５】
本発明は、請求項１に記載の発明によれば、機器とともに機器に電源を供給する電源ユニットを収納し、機器収納ラックに取り付けられるラックマウント型の機器収納ケースにおいて、略箱状の本体ケースの背面に挿入口を形成し、挿入口に電源ユニットを搭載する取付板を挿抜自在に取り付けたことを特徴とする。
【０００６】
請求項２に記載の発明によれば、請求項１に記載の機器収納ケースにおいて、取付板は挿入口を塞ぐ蓋板部と、電源ユニットを固定する固定板部とを有し、固定板部の蓋板部から遠い側の端部に下方に突出する突部を設け、突部が嵌合して挿抜方向に案内する案内溝を形成した取付ベースを挿入口の内側に設け、取付板が案内溝に案内されて取付ベース上を摺動することを特徴とする。
【０００７】
請求項３に記載の発明によれば、請求項２に記載の機器収納ケースにおいて、取付板の突部は取付板を案内溝に沿って引き出した際に案内溝の端部に係脱可能に係合する係合部を有することを特徴とする。
【発明の効果】
【０００８】
請求項１に記載の発明によれば、本体ケースから取付板を抜き取ることができるので機器収納ケースを複数段に積み重ねた場合でも上段の機器収納ケースが邪魔にならず、電源ユニットの取り付け及び交換の作業性が向上するという効果がある。
【０００９】
請求項２に記載の発明によれば、請求項１に記載の発明の効果に加えて、簡単な構造で取付板のスライドをスムーズに行うことができるという効果がある。
【００１０】
請求項３に記載の発明によれば、請求項２に記載の発明の効果に加えて、取付板を引き出した際に脱落を防止するとともに、取付板を一気に引き抜くことができないので電源ユニットのコネクタや電線の破損を防止するという効果がある。
【発明を実施するための最良の形態】
【００１１】
機器収納ケースは、略箱状の本体ケースの背面に挿入口を形成し、挿入口に電源ユニットを搭載する取付板を挿抜自在に取り付ける。取付板は挿入口を塞ぐ蓋板部と、電源ユニットを固定する固定板部とを有し、固定板部の蓋板部から遠い側の端部に下方に突出する突部を設け、突部が嵌合して挿抜方向に案内する案内溝を形成した取付ベースを挿入口の内側に設け、取付板が案内溝に案内されて取付ベース上を摺動する。
【実施例１】
【００１２】
本発明に係る機器収納ケースの実施例１を図１〜図１０の添付図面に基づいて説明する。
【００１３】
機器収納ケース１は、略箱状のラックマウント型の本体ケース２の前面に左右方向に複数の開口部２ａが形成されてメディアコンバータなどの通信機器３が取り付けられ、本体ケース２の背面に挿入口２ｂが形成されて電源ユニット４を取り付ける取付板５が挿抜可能に取り付けられて機器収納ラック（図示せず）に取り付けられる。
【００１４】
取付板５は挿入口２ｂを塞ぐ蓋板部５ａと、電源ユニット４が取り付けられる固定板部５ｂとで略Ｌ字状に形成されている。蓋板部５ａは把手５ｃと、本体ケース２に固定するための螺子６が挿通する挿通孔５ｄが設けられ、固定板部５ｂは電源ユニット４を取り付けるための取付ネジ７が挿通する取付孔５ｅが設けられ、また、蓋板部５ａから遠い側の端部左右に下方に突出する突部５ｆが設けられ、突部５ｆは略Ｌ字状に先端を蓋板部方向に向けて係合部５ｇが形成されている。
【００１５】
本体ケース２の挿入口２ｂの内側には、取付板５を載置する取付ベース８が本体ケース２の底面に突設されたネジ２ｃにネジ挿通孔８ａを挿通させてナット９で締め付けて固定されている。取付ベース８は、取付板５の突部５ｆが嵌合する長孔形状の案内溝８ｂが取付板５の挿抜方向に形成されている。
【００１６】
電源ユニット４を取付板５に取り付けるには、取付板５を本体ケース２から取り外した状態で電源ユニット４を固定板部５ｂに載置し、裏面から取付ネジ７を取付孔５ｅに挿通させて電源ユニット４に螺着して固定する。そして、通信機器３に接続された電線１０を挿入口２ｂから引き出して電線１０の先端に設けられたコネクタ１１を電源ユニット４に接続し、コネクタ１１の接続が完了したら取付板５を挿入口２ｂに挿入し、取付板５の突部５ｆを取付ベース８の案内溝８ｂに嵌合させて取付板５を押し込む。すると、取付板５は案内溝８ｂに案内されて取付ベース８上を摺動するので取付板５の蓋板部５ａが本体ケース２の背面に当接するまで押し込み、蓋板部５ａの挿通孔５ｄに螺子６を挿通させて本体ケース２に形成した螺子孔２ｄに螺着することにより取付板５は本体ケース２に固定される。
【００１７】
また、電源ユニット４の交換などで電源ユニット４を取付板５から抜き取るには、まず、本体ケース２に螺着した螺子６を取り外す。次に把手５ｃを持って取付板５を引き出し、取付板５の突部５ｆが案内溝８ｂの端部に当接するまで引き出すとそれ以上は引き出せなくなる。このとき、突部５ｆの係合部５ｇが案内溝８ｂの端部に係合するので電源ユニット４と取付板５の自重により固定板部５ｂの突部５ｆ側が浮き上がっても突部５ｆが案内溝８ｂから外れることはない。これにより、取付板５の脱落を防止するとともに、取付板５を一気に引き抜くことができないので電源ユニット４のコネクタ１１や電線１０の破損を防止するようになっている。しかしながら、取付板５を挿入口２ｂから抜き取るためには、取付ベース８の案内溝８ｂと取付板５の突部５ｆの係合を解除する必要があり、取付板５を突部５ｆの係合部５ｇの長さ以上に押し込むことで取付ベース８の案内溝８ｂと取付板５の突部５ｆの係合は解除し、取付板５の突部５ｆ側を浮き上げることで、突部５ｆと案内溝８ｂの嵌合を解除することができる。そこで、取付板５の突部５ｆ側を浮き上げたまま、挿入口２ｂから取付板５を引き抜くことで取付板５を抜き取ることができる。
【００１８】
取付板５を挿入口２ｂから抜き取った後は、電源ユニット４に接続された電線１０のコネクタ１１を取り外すとともに、固定板部５ｂから電源ユニット４を取り外し、交換を行う。尚、電源ユニット４の取り付けは前述の方法により行う。
【図面の簡単な説明】
【００１９】
【図１】本発明に係る機器収納ケースの斜視図である。
【図２】本発明に係る機器収納ケースを後方から見た斜視図である。
【図３】本発明に係る取付板の斜視図である。
【図４】本発明に係る取付ベースの斜視図である。
【図５】本発明に係る取付板に電源ユニットを取り付ける様子を示す部分斜視図である。
【図６】本発明に係る取付板を本体ケースの挿入口に挿入する様子を示す部分斜視図である。
【図７】本発明に係る取付板を本体ケースに固定する様子を示す部分斜視図である。
【図８】本発明に係る本体ケースに取付板を取り付けた状態の部分斜視図である。
【図９】本発明に係る取付板を引き出した状態を説明する斜視図である。
【図１０】本発明に係る取付板を取付ベースから嵌合の解除をする方法を説明する斜視図である。
【符号の説明】
【００２０】
１    機器収納ケース
２    本体ケース
２ｂ    挿入口
４    電源ユニット
５    取付板
５ａ    蓋板部
５ｂ    固定板部
５ｆ    突部
５ｇ    係合部
８    取付ベース
８ｂ    案内溝
【図１】
2007306682.tif 000003
【図２】
2007306682.tif 000004
【図３】
2007306682.tif 000005
【図４】
2007306682.tif 000006
【図５】
2007306682.tif 000007
【図６】
2007306682.tif 000008
【図７】
2007306682.tif 000009
【図８】
2007306682.tif 000010
【図９】
2007306682.tif 000011
【図１０】
2007306682.tif 000012